(57)【要約】【課題】排泄物の貯留容器を確実に保持して軽便に運搬し、安全に昇降させて貯留容器を傾動させ、周囲を汚染することなく内容物を廃棄できる運搬車を提供する。【解決手段】本運搬車は、ポータブルトイレ６１又はポータブルトイレ６２の付帯装置６３で用いられる排泄物の貯留容器７を運搬するための運搬車１であって、車輪２ａ、２ｂを有する運搬車本体３と、貯留容器の底部７ｂを保持する底部保持具４１、及び貯留容器の上部を把持する把持装置４２を有する容器保持体４と、を備える。そして、上記容器保持体４は、運搬車本体３に対して昇降可能で且つ前後方向Ａに傾動可能に設けられるとともに、上部に向かうに連れて後方となるように傾斜した柱状ガイド２９に沿って昇降する。【選択図】図３
2016222126.tif 000002
【特許請求の範囲】
【請求項１】
ポータブルトイレ又はポータブルトイレの付帯装置で用いられる排泄物の貯留容器を運搬するための運搬車であって、
車輪を有する運搬車本体と、
前記貯留容器の底部を保持する底部保持具、及び前記貯留容器の上部を把持する把持装置を有する容器保持体と、を備え、
前記容器保持体は、前記運搬車本体に対して昇降可能で且つ前後方向に傾動可能に設けられるとともに、上部に向かうに連れて後方となるように傾斜した柱状ガイドに沿って昇降することを特徴とする運搬車。
【請求項２】
前記容器保持体は、電動式アクチュエータにより昇降される請求項１記載の運搬車。
【請求項３】
前記運搬車本体の下部には、前記電動式アクチュエータを作動させるモーターと、前記モーターの駆動を制御するコントローラーと、前記モーター及び前記コントローラーに蓄電した電気を供給する蓄電池と、が配置されている請求項２記載の運搬車。
【請求項４】
前記運搬車本体は、前記貯留容器内の内容物を廃棄する便器を囲み得るような平面略Ｕ字状の下部フレームを備え、複数の前記車輪のうちの１個以上の車輪は、自在キャスターを構成する請求項１乃至３のいずれか一項に記載の運搬車。
【請求項５】
前記運搬車本体に対して昇降可能に設けられる台座を備え、前記底部保持具は、その前側が前記台座の前側で車幅方向の水平軸回りに回動可能で且つ前記台座上に載置可能に設けられ、前記把持装置は、前記底部保持具の後側から立ち上がる支持枠の上部に設けられている請求項１乃至４のいずれか一項に記載の運搬車。
【発明の詳細な説明】
【技術分野】
【０００１】
本発明は、運搬車に関し、さらに詳しくは、ポータブルトイレ又はその付帯装置において排泄物を一時貯留する貯留容器を運搬するための運搬車に関する。
【背景技術】
【０００２】
一般的なポータブルトイレには、取り出し可能なバケツ様の一時貯留容器が備えられており、使用者の排便や洗浄水等は上記一時貯留容器に溜まり、排便の都度、あるいは数回分の排便を溜めたものを上記一時貯留容器と共に取り出して、既設のトイレ便器や排水口の近傍まで運搬し、上記一時貯留容器内の排泄物を廃棄することが行われている。
【０００３】
近年、核家族化と社会の高齢化により、老人が老人の介護を行うことが常態化するにつれ、排便等の排泄物が入った一時貯留容器を運搬し、排泄物を廃棄する行為を老人が行うことも多くなっている。その結果、重い一時貯留容器を運搬するために腰などを痛めたり、室内で排泄物をこぼしたりする事故も多くなっている。特に一時貯留容器内の排泄物を便器に廃棄する行為は、運動能力の低下した老人には難しく、排泄物を適切に便器内に廃棄することに失敗しがちであり、排泄物を周囲にこぼしたり、はねかけさせたりして悪臭や不衛生状態を引き起こすという問題が起きている。
【０００４】
特許文献１には、排便等の排泄物が入った排泄物貯留槽に取っ手やキャスター車輪を備えた排泄物ポットが開示されており、取っ手部分を支点として便器に向かって排泄物貯留槽全体を傾けて排泄物を便器内に放出することが開示されているが、２輪のキャスター車輪に頼って排泄物貯留槽を運搬する方法は不安定であり、便器に対して、伸縮可能な運搬ステーを支えとして大半径の円周状に排泄物貯留槽を転動させて排泄物を放出する方法は、貯留槽の重量に対して相当の力と絶妙のタイミングを必要とするものであって、到底上記の問題を解決できるものではなかった。
【０００５】
また、特許文献２には、ポータブルトイレの一時貯留容器が便器本体に付属しておらず、便器本体とは離れた位置に設置した収納容器に複数回の排泄物を収納し、接続配管を外して収納容器ごと持ち運べることが開示されているが、複数回分の排泄物の重量に対して、収納容器を軽便に運搬する方法や、周りを汚染することなく容器から排泄物を廃棄する方法については記載も示唆もなかった。このように便器本体とは離れた位置に設置される収納容器についても、上記一時貯留容器と全く同じ問題が生じる。その他にも、災害用仮設トイレや幼児用おまるなど、下水配管に直接接続されておらず、一時貯留容器を用いるトイレには多かれ少なかれ同様の課題が存在し、一時貯留容器を取り扱うのが老人でなく、健康な若者であっても同様な問題は起きうる。
【０００６】
液体を収納する容器を軽便に運搬し、内容物を取り出すために転動させることのできる装置としては、特許文献３に、台車に設置した昇降可能な吊り上げ枠の爪でドラム缶を把持し、吊り上げ枠ごとドラム缶を昇降させ、反転させることのできる運搬車が知られているが、隙間なく並んだドラム缶に近づいてドラム缶を取り出すために、爪のついた吊り上げ枠は運搬車の端部に位置しており、重いドラム缶を高く吊り上げたとき、重心が端部に偏って不安定なものであった。
【０００７】
特許文献３に開示されている発明では、ドラム缶を前傾させ、反転させて内容物を放出することが記載されているが、ドラム缶は形状が円筒形に決まっており、通常内容物は流動性のある液体であって、転動させた場合でも液面は水平化するので、不安定ではあっても反転の際に運搬車が転倒する危険性は少なかった。しかし、上記一時貯留装容器の内容物は排泄物であり、多量の固形物を含んでいるので事情が異なり、容器を傾けて内容物を放出する際に重心が前方に偏って運搬車ごと転倒する可能性があった。
【先行技術文献】
【特許文献】
【０００８】
【特許文献１】特開２００１-３３３８７０号公報
【特許文献２】特開２００１-１０７４４１号公報
【特許文献３】特開２００２−３７０８２号公報
【発明の概要】
【発明が解決しようとする課題】
【０００９】
本発明の課題は、ポータブルトイレに付属する排泄物の一時貯留容器やポータブルトイレの便器本体から離れた位置で排泄物を一時収納する容器などの、排泄物を含む液体の入った貯留容器を確実に保持して軽便に運搬し、廃棄の際には安全に昇降させて貯留容器を傾動させ、周囲を汚染することなく内容物を廃棄することのできる運搬車を実現することである。
【課題を解決するための手段】
【００１０】
上記問題を解決するために、請求項１に記載の発明は、ポータブルトイレ又はポータブルトイレの付帯装置で用いられる排泄物の貯留容器を運搬するための運搬車であって、車輪を有する運搬車本体と、前記貯留容器の底部を保持する底部保持具、及び前記貯留容器の上部を把持する把持装置を有する容器保持体と、を備え、前記容器保持体は、前記運搬車本体に対して昇降可能で且つ前後方向に傾動可能に設けられるとともに、上部に向かうに連れて後方となるように傾斜した柱状ガイドに沿って昇降することを要旨とする。
請求項２に記載の発明は、請求項１に記載の発明において、前記容器保持体は、電動式アクチュエータにより昇降されることを要旨とする。
請求項３に記載の発明は、請求項２に記載の発明において、前記運搬車本体の下部には、前記電動式アクチュエータを作動させるモーターと、前記モーターの駆動を制御するコントローラーと、前記モーター及び前記コントローラーに蓄電した電気を供給する蓄電池と、が配置されていることを要旨とする。
請求項４に記載の発明は、請求項１乃至３のいずれか一項に記載の発明において、前記運搬車本体は、前記貯留容器内の内容物を廃棄する便器を囲み得るような平面略Ｕ字状の下部フレームを備え、複数の前記車輪のうちの１個以上の車輪は、自在キャスターを構成することを要旨とする。
請求項５に記載の発明は、請求項１乃至４のいずれか一項に記載の発明において、前記運搬車本体に対して昇降可能に設けられる台座を備え、前記底部保持具は、その前側が前記台座の前側で車幅方向の水平軸回りに回動可能で且つ前記台座上に載置可能に設けられ、前記把持装置は、前記底部保持具の後側から立ち上がる支持枠の上部に設けられていることを要旨とする。
【発明の効果】
【００１１】
本発明の運搬車によると、車輪を有する運搬車本体と、貯留容器の底部を保持する底部保持具、及び貯留容器の上部を把持する把持装置を有する容器保持体と、を備え、容器保持体は、運搬車本体に対して昇降可能で且つ前後方向に傾動可能に設けられるとともに、上部に向かうに連れて後方となるように傾斜した柱状ガイドに沿って昇降する。これにより、ポータブルトイレに付属する排泄物の一時貯留容器やポータブルトイレの便器本体から離れた位置で排泄物を一時収納する容器などの、排泄物を含む液体の入った貯留容器を、底部保持具及び把持装置により容器保持体に確実に保持して、既設のトイレ便器や排水口の近傍まで軽便に運搬することができる。さらに、貯留容器を保持した容器保持体を安全に昇降させて傾動させることで、周囲を汚染することなく貯留容器内の内容物を廃棄することができる。さらに、容器保持体が傾斜した柱状ガイドに沿って降下すると、容器保持体が運搬車本体のより前方に近づけられる。よって、容器保持体に貯留容器を更に容易に保持できる。さらに、容器保持体が傾斜した柱状ガイドに沿って上昇すると、容器保持体が運搬車本体のより後方に近づけられる。よって、容器保持体に保持された貯留容器の重心が運搬車の重心寄りとなり、容器保持体を更に安定的に傾動させることができる。
また、前記容器保持体が、電動式アクチュエータにより昇降される場合は、容器保持体を更に安全に昇降させることができる。
また、前記運搬車本体の下部に、モーターと、コントローラーと、蓄電池と、が配置されている場合は、運搬車本体の下部に重量物が配置されて運搬車の重心が低くなる。よって、容器保持体を更に安全に昇降させて傾動させることができる。
また、前記運搬車本体が、便器を囲み得るような平面略Ｕ字状の下部フレームを備え、複数の前記車輪のうちの１個以上の車輪が、自在キャスターを構成する場合は、自在キャスターにより、下部フレームが便器を囲むように運搬車を便器に容易に近づけることができる。そして、下部フレームが便器を囲む状態で容器保持体を傾動させることで、貯留容器内の内容物を便器内に更に容易且つ確実に廃棄できる。
さらに、前記運搬車本体に対して昇降可能に設けられる台座を備え、前記底部保持具が、その前側が前記台座の前側で車幅方向の水平軸回りに回動可能で且つ前記台座上に載置可能に設けられ、前記把持装置が、前記底部保持具の後側から立ち上がる支持枠の上部に設けられている場合は、容器保持体を更に安全に昇降させて傾動させることができる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る運搬車の斜め前方から見た斜視図である。
【図２】上記運搬車の斜め後方から見た斜視図である。
【図３】上記運搬車の側面図である。
【図４】図３のＩＶ矢視図である。
【図５】図３のＶ矢視図である。
【図６】図４のＶＩ−ＶＩ線断面である。
【図７】実施例に係る容器保持体を説明するための説明図である。
【図８】上記容器保持体を説明するための説明図である。
【図９】実施例に係るキャスターを説明するための説明図である。
【図１０】上記運搬車の作用説明図であり、（ａ）は容器保持体が下端位置に降下した状態を示し、（ｂ）は容器保持体が上端位置に上昇した状態を示し、（ｃ）は容器保持体が上端位置で前方に傾動された状態を示す。
【図１１】実施例に係る貯留容器の使用形態を説明するための説明図であり、（ａ）はポータブルトイレ内に配置される形態を示し、（ｂ）は負圧吸引式ポータブルトイレの付帯装置内に配置される形態を示す。
【図１２】他の形態に係る運搬車を説明するための説明図である。
【発明を実施するための形態】
【００１３】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
＜運搬車＞
本実施形態に係る運搬車は、ポータブルトイレ（６１）又はポータブルトイレ（６２）の付帯装置（６３）で用いられる排泄物の貯留容器（７）を運搬するための運搬車（１）であって、車輪（２ａ、２ｂ）を有する運搬車本体（３）と、貯留容器（７）の底部（７ｂ）を保持する底部保持具（４１）、及び貯留容器（７）の上部を把持する把持装置（４２、４２’）を有する容器保持体（４）と、を備える（例えば、図１、図２及び図１２等参照）。そして、上記容器保持体（４）は、運搬車本体（３）に対して昇降可能で且つ前後方向（Ａ）に傾動可能に設けられるとともに、上部に向かうに連れて後方となるように傾斜した柱状ガイド（２９）に沿って昇降する（例えば、図１０等参照）。上記柱状ガイド（２９）の垂直方向に対する傾斜角（θ１；図６参照）としては、例えば、０を超えて４０度以下（好ましくは５〜４０度、さらには１０〜３０度、特には１５〜２５度）を挙げることができる。
【００１５】
本実施形態に係る運搬車としては、例えば、上記容器保持体（４）は、電動式アクチュエータ（２５）により昇降される形態（例えば、図６〜図８等参照）を挙げることができる。
【００１６】
上述の形態の場合では、例えば、上記運搬車本体（３）の下部には、電動式アクチュエータ（２５）を作動させるモーター（２６）と、モーター（２６）の駆動を制御するコントローラー（３５）と、モーター（２６）及びコントローラー（３５）に蓄電した電気を供給する蓄電池（３６）と、が配置されていることができる（例えば、図２及び図４等参照）。
【００１７】
本実施形態に係る運搬車としては、例えば、上記運搬車本体（３）は、貯留容器（７）内の内容物を廃棄する便器（Ｔ）を囲み得るような平面略Ｕ字状の下部フレーム（１３）を備え、複数の車輪（２ａ、２ｂ）のうちの１個以上の車輪（２ａ）は、自在キャスター（２０）を構成する形態（例えば、図５及び図９等参照）を挙げることができる。この場合、後輪（２ｂ）が自在キャスター（２０）を構成することが好ましい（例えば、図１２等参照）。比較的狭い便器周りで運搬車をぴったり便器に近接させやすいためである。なお、上記「自在キャスター」とは、車輪の向きを自在に変えることができるキャスターを意図する。
【００１８】
本実施形態に係る運搬車としては、例えば、上記運搬車本体（３）に対して昇降可能に設けられる台座（３０）を備え、底部保持具（４１）は、その前側が台座（３０）の前側で車幅方向（Ｂ）の水平軸回りに回動可能で且つ台座（３０）上に載置可能に設けられ、把持装置（４２、４２’）は、底部保持具（４１）の後側から立ち上がる支持枠（４６）の上部に設けられている形態（例えば、図６〜図８等参照）を挙げることができる。
【００１９】
なお、上記実施形態で記載した各構成の括弧内の符号は、後述する実施例に記載の具体的構成との対応関係を示すものである。
【実施例】
【００２０】
以下、図面を用いて実施例により本発明を具体的に説明する。なお、本実施例では、本発明に係る「貯留容器」として、上部に吊り下げ用の取っ手７ａを備え、上方開口を蓋８で閉塞可能とされたバケツ様の貯留容器７を例示する（図１参照）。
【００２１】
上記貯留容器７は、例えば、ポータブルトイレ６１の便器本体６１ａ内にセットされたり（図１１（ａ）参照）、負圧吸引式ポータブルトイレ６２の便器本体６２ａから離れて配置される付帯装置６３内にセットされたり（図１１（ｂ）参照）して使用される。この付帯装置６３は、筐体６４と、筐体６４内に収容されるタンク６５及び真空ポンプ６６等を備えてなる。このタンク６５は、便器本体６２ａと管６７で接続されている。そして、真空ポンプ６６の作動によりタンク６５内に負圧が作用されることで、ポータブルトイレ６２の便器本体６２ａ内の排泄物等がタンク６５内に吸引回収される。さらに、タンク６５の下部扉６５ａを開放することで、タンク６５の下方にセットされた貯留容器７内にタンク６５内の回収物が貯留される。
【００２２】
（１）運搬車の構成
本実施例に係る運搬車１は、図１〜図４に示すように、車輪２ａ、２ｂを有する運搬車本体３と、貯留容器７を保持する容器保持体４と、を備えている。
【００２３】
上記運搬車本体３は、左右一対のベース部材１０ａ、１０ｂと、これら各ベース部材１０ａ、１０ｂを連結する連結部材１１、１２と、を備えている（図２参照）。これら各ベース部材１０ａ、１０ｂは、後側が下方に傾斜するように前後方向Ａに延びている。また、連結部材１１は、前後方向Ａを開放した箱状に形成されている。この連結部材１１は、各ベース部材１０ａ、１０ｂの後端側を連結している。また、連結部材１２は、板材を略Ｕ字状に折り曲げてなされている。この連結部材１２は、各ベース部材１０ａ、１０ｂの前後方向Ａの略中央部を連結している。そして、各ベース部材１０ａ、１０ｂ及び連結部材１１、１２は、貯留容器７内の内容物を廃棄する便器Ｔを囲み得るような平面略Ｕ字状の下部フレーム１３を構成している（図５参照）。
【００２４】
上記各ベース部材１０ａ、１０ｂの前後方向Ａの中間部には、左右一対のハンドルポスト１５ａ、１５ｂのそれぞれが上方に向かって立ち上げられている。これら各ハンドルポスト１５ａ、１５ｂの上端側には、使用者が握るためのハンドル１６が設けられている。また、各ハンドルポスト１５ａ、１５ｂの上下方向の略中央部は、連結部材１７で連結されている。この連結部材１７は、板材を略Ｕ字状に折り曲げてなされている。なお、上記ハンドルポスト１５ａ、１５ｂは、公知の高さ調節機構１８（図１参照）を備え、使用者の体格等に応じて高さ調整可能とされている。
【００２５】
上記各ベース部材１０ａ、１０ｂの前側には、自在キャスター（「キャスター自在車」とも称される。）２０が設けられている。この自在キャスター２０は、車輪２ａ（即ち、前輪２ａ）と、車輪２ａを水平軸回りに軸支する屈曲状の支持軸２１と、支持軸２１を垂直軸回りに軸支し且つ各ベース部材１０ａ、１０ｂに取り付けられる支持部２２と、を備えている（図９参照）。よって、自在キャスター２０を構成する車輪２ａは、自在に向きを変えることができる。また、各ベース部材１０ａ、１０ｂの後側には、固定キャスター（「キャスター固定車」とも称される。）２３が設けられている。この固定キャスター２３は、垂直軸回りに回転不能で自在に向きを変えることができない車輪２ｂ（即ち、後輪２ｂ）が設けられている。
【００２６】
上記連結部材１２の車幅方向Ｂの中央部には、図６〜図８に示すように、電動アクチュエータである送りネジ機構２５の下部が取り付けられている。この送りネジ機構２５の上部は、連結部材１７の車幅方向Ｂの中央部に取り付けられている。また、送りネジ機構２５は、モーター２６（図８参照）により正逆回転される送りネジ２７と、送りネジ２７に螺合されるナットであるスライド体２８と、スライド体２８の送りネジ２７の軸方向に沿うスライド移動を案内する柱状ガイド２９と、を備えている。この柱状ガイド２９は、上部に向かうに連れて後方（即ち、運搬車１を手押しする使用者の手元方向）となるように垂直方向に対して所定の傾斜角度θ１（例えば、２０度）で傾斜している（図６参照）。言い替えると、柱状ガイド２９は、その上部が下部より後方に位置するように垂直方向に対して所定の傾斜角度θ１で傾斜している。また、スライド体２８には、台座３０の後端部に設けられた連結部３１が取り付けられている。この台座３０は、平面略Ｕ字状の外枠３２の左右の辺を連結部材３３で連結してなされている（図７参照）。
【００２７】
上記送りネジ機構２５を作動させるモーター２６は、運搬車本体３の下部に配置されている（図４参照）。さらに、コントローラー３５及び蓄電池３６は、連結部材１１に取り付けられており、運搬車本体３の後方下部に配置されている（図２参照）。このコントローラー３５は、使用者のスイッチ操作等に応じてモーター２６の駆動を制御する。さらに、蓄電池３６は、モーター２６及びコントローラー３５に蓄電した電気を供給する。
【００２８】
上記容器保持体４は、図６〜図８に示すように、貯留容器７の底部７ｂを保持する底部保持具４１と、貯留容器７の上部を把持する把持装置４２と、を備えている。この底部保持具４１は、板状に形成されている。また、底部保持具４１は、その前側が台座３０の前側で車幅方向Ｂの水平軸回りに回動可能に設けられている。よって、容器保持体４は、運搬車本体３に対して前後方向Ａに傾動可能に設けられている。また、底部保持具４１は、台座３０上に略水平状態で載置可能とされている。具体的に、底部保持具４１は、台座３０の外枠３２より僅かに小さな外形を有しており、台座３０の連結部材３３上に載置可能とされている。そして、台座３０及び台座３０上に載置される容器保持体４は、上記送りネジ機構２５の作動によって傾斜した柱状ガイド２９に沿って昇降される。さらに、容器保持体４が台座３０上に載置された状態では、容器保持体４に保持された貯留容器７は略直立状態となる。
【００２９】
上記底部保持具４１は、図８に示すように、貯留容器７の底部７ｂが載置される載置面４４と、この載置面４４上に設けられる位置決め部４５と、を備えている。この位置決め部４５は、載置面４４上に載置された貯留容器７の底部７ｂを前後方向Ａ及び車幅方向Ｂに位置決めする。また、位置決め部４５は、貯留容器７の底部７ｂを左右から囲むように載置面４４上の車幅方向Ｂの両側に配置されている。
【００３０】
上記把持装置４２は、図７及び図８に示すように、底部保持具４１の後側から立ち上がる支持枠４６の上部に設けられている。この支持枠４６は、平面略Ｕ字状の外枠４７の左右の各辺を連結部材４８で連結してなされている。また、支持枠４６の上部（具体的に、外枠４７の上辺及び／又は連結部材４８）は、容器保持体４を傾動させる際に使用者が掴む取っ手として機能する。なお、上記把持装置としては、貯留容器７の上部内壁８１に係止して貯留容器７の上部を把持する係止部８２を備える把持装置４２’を採用できる（図１２参照）。
【００３１】
（２）運搬車の作用
次に、上記構成の運搬車１の作用について説明する。なお、本実施例では、ポータブルトイレ６１（図１１（ａ）参照）で使用される貯留容器７を便器Ｔの近傍まで運搬して貯留容器７の内容物を廃棄する形態について説明する。ただし、ポータブルトイレ６２の付帯装置６３（図１１（ｂ）参照）で使用される貯留容器７を便器Ｔの近傍まで運搬して貯留容器７の内容物を廃棄する形態であっても略同じ作用を奏する。
【００３２】
先ず、ポータブルトイレ６１に附属してセットされた貯留容器７内に排泄物等が貯留されると、運搬車１をポータブルトイレ６１の近傍まで移動させる。このとき、容器保持体４は、送りネジ機構２５により下端位置Ｐ１まで降下されるか又は予め降下されている。この下端位置Ｐ１まで降下された容器保持体４は、運搬車本体３のより前方に近づけられている。次に、ポータブルトイレ６１から貯留容器７を取り出して、その貯留容器７の底部７ｂを底部保持具４１上に載せて位置決め保持させる。さらに、貯留容器７の上部を把持装置４２に把持させて、容器保持体４に対して貯留容器７を保持させる（図１０（ａ）参照）。
【００３３】
次いで、容器保持体４が下端位置Ｐ１のままで、運搬車１を既設の便器Ｔの近傍まで移動させる。その後、送りネジ機構２５の作動により容器保持体４を上端位置Ｐ２まで上昇させる。このとき、容器保持体４は、下端位置Ｐ１に比べて運搬車本体３のより後方に近づけられる。次に、下部フレーム１３が便器Ｔを囲むように運搬車１を便器Ｔに更に近づける（図１０（ｂ）参照）。次いで、支持枠４６の上部を掴んで容器保持体４とともに貯留容器７を前方に傾動させて、貯留容器７内の内容物を便器Ｔ内に廃棄する（図１０（ｃ）参照）。
【００３４】
その後、貯留容器７の内容物が略完全に便器Ｔ内に廃棄されたら、容器保持体４を後方に傾動させて台座３０上に載置させる。次に、運搬車１をポータブルトイレ６１の近傍まで移動させる。次いで、容器保持体４から空の貯留容器７を取り外してポータブルトイレ６１に再セットする。その後、運搬車１を適当な保管場所まで移動させて保管する。なお、空の貯留容器７をポータブルトイレ６１に再セットする際には、下端位置Ｐ１まで降下された容器保持体４から空の貯留容器７を取り外すようにしてもよい。
【００３５】
（３）実施例の効果
本実施例の運搬車によると、車輪２ａ、２ｂを有する運搬車本体３と、貯留容器７の底部７ｂを保持する底部保持具４１、及び貯留容器７の上部を把持する把持装置４２を有する容器保持体４と、を備え、容器保持体４は、運搬車本体３に対して昇降可能で且つ前後方向Ａに傾動可能に設けられるとともに、上部に向かうに連れて後方となるように傾斜した柱状ガイド２９に沿って昇降する。これにより、ポータブルトイレ６１に付属する排泄物の一時貯留容器７やポータブルトイレ６２の便器本体６２ａから離れた位置で排泄物を一時収納する容器７などの、排泄物を含む液体の入った貯留容器７を、底部保持具４１及び把持装置４２により容器保持体４に確実に保持して、既設のトイレ便器Ｔまで軽便に運搬することができる。さらに、貯留容器７を保持した容器保持体４を安全に昇降させて傾動させることで、周囲を汚染することなく貯留容器７内の内容物を廃棄することができる。さらに、容器保持体４が傾斜した柱状ガイド２９に沿って降下すると、容器保持体４が運搬車本体３のより前方に近づけられる。よって、容器保持体４に貯留容器７を更に容易に保持できる。さらに、容器保持体４が傾斜した柱状ガイド２９に沿って上昇すると、容器保持体４が運搬車本体３のより後方に近づけられる。よって、容器保持体４に保持された貯留容器７の重心が運搬車１の重心寄りとなり、容器保持体４を更に安定的に傾動させることができる。
【００３６】
また、本実施例では、容器保持体４は、送りネジ機構２５により昇降される。これにより、容器保持体４を更に安全に昇降させることができる。
【００３７】
また、本実施例では、運搬車本体３の下部には、モーター２６と、コントローラー３５と、蓄電池３６と、が配置されている。これにより、運搬車本体３の下部に重量物２６、３５、３６が配置されて運搬車１の重心が低くなる。よって、容器保持体４を更に安全に昇降させて傾動させることができる。
【００３８】
また、本実施例では、運搬車本体３は、便器Ｔを囲み得るような平面略Ｕ字状の下部フレーム１３を備え、複数の車輪２ａ、２ｂのうちの１個以上の車輪２ａは、自在キャスター２０を構成する。そのため、自在キャスター２０により、下部フレーム１３が便器Ｔを囲むように運搬車１を便器Ｔに容易に近づけることができる。そして、下部フレーム１３が便器Ｔを囲む状態で容器保持体４を傾動させることで、貯留容器７内の内容物を便器Ｔ内に容易且つ確実に廃棄できる。
【００３９】
さらに、本実施例では、運搬車本体３に対して昇降可能に設けられる台座３０を備え、底部保持具４１は、その前側が台座３０の前側で車幅方向Ｂの水平軸回りに回動可能で且つ台座３０上に載置可能に設けられ、把持装置４２は、底部保持具４１の後側から立ち上がる支持枠４６の上部に設けられている。これにより、容器保持体４を更に安全に昇降させて傾動させることができる。
【００４０】
尚、本発明においては、上記実施例に限られず、目的、用途に応じて本発明の範囲内で種々変更した実施例とすることができる。すなわち、上記実施例では、前輪２ａが自在キャスターを構成する形態を例示したが、これに限定されず、例えば、図１２に示すように、後輪２ｂが自在キャスターを構成するようにしてもよい。これにより、比較的狭い便器Ｔ周りで運搬車１をぴったり便器Ｔに近接させやすい。さらに、例えば、前輪２ａ及び後輪２ｂの両車輪が自在キャスター２０又は固定キャスター２３を構成するようにしてもよい。さらに、上記キャスターとしては、例えば、自在キャスターと固定キャスターとを切り換え可能な切換キャスターを採用してもよい。さらに、上記車輪としては、例えば、単輪状、双輪状、コロ状、球状等の車輪を挙げることができる。
【００４１】
また、上記実施例では、電動式アクチュエータ（具体的に、送りネジ機構２５）により容器保持体４を昇降させるようにしたが、これに限定されず、例えば、手動により容器保持体４を昇降させて所望の高さ位置に位置保持させるようにしてもよい。具体的に、送りネジ２７に操作ハンドルを連結し、操作ハンドルを回転操作することで容器保持体４を昇降させるようにしてもよい。
【００４２】
また、上記実施例では、電動式アクチュエータとして、送りネジ２７による容器保持体４の昇降機構を例示したが、これに限定されず、例えば、ボールネジ、ラックピニオン、チェーン、リニアモーター等による容器保持体の昇降機構を採用してもよい。さらに、ワイヤー、ベルト、ロープ等の牽引手段による容器保持体の昇降機構を採用してもよい。
【００４３】
また、上記実施例では、位置決め部４５により貯留容器７の底部７ｂを保持する底部保持具４１を例示したが、これに限定されず、例えば、手動又は電動による可動部の可動により貯留容器７の底部７ｂを保持する底部保持具としてもよい。また、上記実施例では、把持具４３により貯留容器７の上部を把持する把持装置４２を例示したが、これに限定されず、例えば、手動又は電動による可動部の可動により貯留容器７の上部を把持する把持装置としてもよい。さらに、上記実施例では、手動により容器保持体４を傾動させるようにしたが、これに限定されず、例えば、電動により容器保持体４を傾動させるようにしてもよい。
【００４４】
また、上記実施例では、負圧吸引により便器本体６２ａから離れた位置で排泄物を回収する負圧吸引式ポータブルトイレ６２を例示したが、これに限定されず、例えば、圧送により便器本体から離れた位置で排泄物を回収する圧送式ポータブルトイレとしてもよい。さらに、ポータブルトイレの用途としては、例えば、介護用、看護用、災害用（例えば、仮設トイレ等）、育児用（例えば、幼児用おまる等）などを挙げることができる。
【００４５】
さらに、上記実施例では、貯留容器７内の内容物を既設の洋式便器Ｔに廃棄する形態を例示したが、これに限定されず、例えば、貯留容器７内の内容物を排水口や和式便器に廃棄するようにしてもよい。この場合、例えば、容器保持体４が降下した状態のままで容器保持体４を傾動させて貯留容器７内の内容物を廃棄してもよい。
【産業上の利用可能性】
【００４６】
本発明は、ポータブルトイレ又はその付帯装置で用いられる排泄物の貯留容器を運搬する技術として広く利用される。
【符号の説明】
【００４７】
１；運搬車、２ａ，２ｂ；車輪、３；運搬車本体、４；容器保持体、７；貯留容器、７ｂ；底部、１３；下部フレーム、２０；自在キャスター、２９；柱状ガイド、３０；台座、４１；底部保持具、４２，４２’；把持装置、４６；支持枠、６１，６２；ポータブルトイレ、６３；付帯装置、Ａ；前後方向、Ｂ；車幅方向、Ｔ；便器。
【図１】
2016222126.tif 000003
【図２】
2016222126.tif 000004
【図３】
2016222126.tif 000005
【図４】
2016222126.tif 000006
【図５】
2016222126.tif 000007
【図６】
2016222126.tif 000008
【図７】
2016222126.tif 000009
【図８】
2016222126.tif 000010
【図９】
2016222126.tif 000011
【図１０】
2016222126.tif 000012
【図１１】
2016222126.tif 000013
【図１２】
2016222126.tif 000014